(57)【要約】【課題】進行方向回転方向へおよび逆回転方向への所定角度の回転を繰り返す間欠回転テーブルと、それに設けられた充填ノズルを有する液体充填装置であって、ノズルの保有残液に起因する液体の容器外への滴下を防止する液体充填装置を提供する。【解決手段】液体充填装置１は、容器１０を同一円周上にて複数回転移動させる回転テーブル２と、テーブル２の回転方向への回転および逆回転方向への回転を繰り返す間欠回転機構を有する間欠回転テーブル３と、間欠回転テーブル３に設けられた複数の液体吐出部４とを備える。液体吐出部４は、容器１０の開口に液体を注入するためのノズル５を備える。ノズル５は、筒状部５０と、筒状部５０の回転テーブル２の法線方向外側となる部分より下方に延び、かつ尖端５１に向かって幅が狭くなるように設けられたノズル先端部５２を備える。【選択図】図８
2014201335.tif 000002
【特許請求の範囲】
【請求項１】
容器供給部より連続供給される容器を同一円周上に一定ピッチで位置する状態にて回転移動する回転テーブルと、前記回転テーブルの上方に位置し、前記回転テーブルの回転方向への所定角度の進行方向回転および所定角度の逆方向回転を繰り返す間欠回転機構を有する間欠回転テーブルと、前記間欠回転テーブルに設けられ、かつ前記回転テーブルの前記一定ピッチと同じピッチにて配置された複数の液体吐出部と、前記各液体吐出部に接続された液体供給部とを備える液体充填装置であって、
前記液体吐出部は、前記容器の開口に液体を注入するためのノズルを備え、前記ノズルは、筒状部と、前記筒状部の前記回転テーブルの法線方向外側となる部分より下方に延び、かつ尖端に向かって幅が狭くなるように設けられたノズル先端部を有することを特徴とする液体充填装置。
【請求項２】
前記ノズル先端部は、前記筒状部より下方に延びかつ前記間欠回転テーブルの回転軸方向を向き、さらに、尖端に向かって幅が狭くなるものとなっている請求項１に記載の液体充填装置。
【請求項３】
前記液体吐出部は、前記液体吐出部内部を横切るように配置されたフィルタを備えている請求項１または２に記載の液体充填装置。
【請求項４】
前記フィルタは、前記ノズルの前記筒状部付近かつ若干上流側となる位置に設けられている請求項３に記載の液体充填装置。
【請求項５】
前記ノズルの前記筒状部は、短い筒状部であり、かつ、充填する液体の保持が実質的に不能なものとなっている請求項１ないし４のいずれかに記載の液体充填装置。
【請求項６】
前記液体吐出部は、前記ノズルの前記筒状部より上流側に設けられた開閉バルブを備えている請求項１ないし５のいずれかに記載の液体充填装置。
【請求項７】
前記液体充填装置は、前記間欠回転テーブルの進行方向回転開始後に前記バルブを開き、液体の充填を開始し、前記間欠回転テーブルの進行方向回転の終了前に、前記バルブを閉じ、前記ノズルの残液を前記間欠回転テーブルの進行方向回転終了時までに前記ノズルに付与される力を利用して、前記容器内に注入するものである請求項６に記載の液体充填装置。
【請求項８】
前記ノズル先端部の前記筒状部からの突出長Ｂは、前記筒状部の内径Ｌに対して、Ｂ＝０．８〜１．５×Ｌである請求項１ないし７のいずれかに記載の液体充填装置。
【請求項９】
前記間欠回転テーブルは、昇降機構を有し、前記昇降機構は、前記間欠回転テーブルの進行方向回転終了直前に上昇を開始し、かつ、前記逆方向回転終了直前に下降を開始するものである請求項１ないし８のいずれかに記載の液体充填装置。
【発明の詳細な説明】
【技術分野】
【０００１】
本発明は、口栓付軟質医療用容器等の容器に液体を充填するための液体充填装置に関する。
【背景技術】
【０００２】
液体充填装置としては、間欠回転するテーブルの外周に液供給装置を有し、回転テーブルの外周に保持した多数の容器がテーブルが回転する間に液の充填を行うタイプのものがある。このようなタイプの液体充填装置としては、例えば、特開平１０−３０５８０２（特許文献１）に示すものがある。
特許文献１の液体充填装置は、連続回転テーブル５の上方にあって上記容器保持ピッチと同じピッチにて複数の充填ノズル２１が備えられる間欠回転テーブル１１と、上記充填ノズル２１より液を押し出す充填手段と、上記充填ノズル２１を上下動させる昇降手段とを有し、上記連続回転テーブル５が固着されて連続回転する外側中空軸１９を備え、この外側中空軸１９と同心配置されて上記間欠回転テーブル１１を往復回動させる中空軸１６を備え、この中空軸１６による間欠回転テーブル１１の往動が上記連続回転テーブル５の回転と同期して回動し復動が上記連続回転テーブル１１の把持容器１の初期位置までの早戻りするものとなっている。
【先行技術文献】
【特許文献】
【０００３】
【特許文献１】特開平１０−３０５８０２
【発明の概要】
【発明が解決しようとする課題】
【０００４】
そして、上記のような間欠回転テーブルを用いる充填装置では、間欠回転テーブルが停止し、上昇し、逆回転する。このため、充填ノズル（吐出部）が保有する残液が、この停止、上昇、逆回転時に、液体充填装置（特に、連続回転テーブル）、充填対象容器に滴下することがあった。滴下した液体は、液体充填装置（特に、連続回転テーブル）、容器外面に付着した状態が継続するため、雑菌の繁殖、装置の腐食の原因となる。
そこで、本発明は、回転テーブルと、回転テーブルの上方に位置し、液体吐出部を有し、かつ、回転テーブルの回転方向への所定角度の進行方向回転、逆方向回転を繰り返す間欠回転テーブルとを備える液体充填装置であって、充填ノズル（吐出部）の保有残液に起因する液体の容器外への滴下を防止する液体充填装置を提供するものである。
【課題を解決するための手段】
【０００５】
上記目的を達成するものは、以下のものである。
（１）  容器供給部より連続供給される容器を同一円周上に一定ピッチで位置する状態にて回転移動する回転テーブルと、前記回転テーブルの上方に位置し、前記回転テーブルの回転方向への所定角度の進行方向回転および所定角度の逆方向回転を繰り返す間欠回転機構を有する間欠回転テーブルと、前記間欠回転テーブルに設けられ、かつ前記回転テーブルの前記一定ピッチと同じピッチにて配置された複数の液体吐出部と、前記各液体吐出部に接続された液体供給部とを備える液体充填装置であって、前記液体吐出部は、前記容器の開口に液体を注入するためのノズルを備え、前記ノズルは、筒状部と、前記筒状部の前記回転テーブルの法線方向外側となる部分より下方に延び、かつ尖端に向かって幅が狭くなるように設けられたノズル先端部を有する液体充填装置。
【０００６】
（２）  前記ノズル先端部は、前記筒状部より下方に延びかつ前記間欠回転テーブルの回転軸方向を向き、さらに、尖端に向かって幅が狭くなるものとなっている上記（１）に記載の液体充填装置。
（３）  前記液体吐出部は、前記液体吐出部内部を横切るように配置されたフィルタを備えている上記（１）または（２）に記載の液体充填装置。
（４）  前記フィルタは、前記ノズルの前記筒状部付近かつ若干上流側となる位置に設けられている上記（３）に記載の液体充填装置。
（５）  前記ノズルの前記筒状部は、短い筒状部であり、かつ、充填する液体の保持が実質的に不能なものとなっている上記（１）ないし（４）のいずれかに記載の液体充填装置。
（６）  前記液体吐出部は、前記ノズルの前記筒状部より上流側に設けられた開閉バルブを備えている上記（１）ないし（５）のいずれかに記載の液体充填装置。
【０００７】
（７）  前記液体充填装置は、前記間欠回転テーブルの進行方向回転開始後に前記バルブを開き、液体の充填を開始し、前記間欠回転テーブルの進行方向回転の終了前に、前記バルブを閉じ、前記ノズルの残液を前記間欠回転テーブルの進行方向回転終了時までに前記ノズルに付与される力を利用して、前記容器内に注入するものである上記（６）に記載の液体充填装置。
（８）  前記ノズル先端部の前記筒状部からの突出長Ｂは、前記筒状部の内径Ｌに対して、Ｂ＝０．８〜１．５×Ｌである上記（１）ないし（７）のいずれかに記載の液体充填装置。
（９） 前記間欠回転テーブルは、昇降機構を有し、前記昇降機構は、前記間欠回転テーブルの進行方向回転終了直前に上昇を開始し、かつ、前記逆方向回転終了直前に下降を開始するものである上記（１）ないし（８）のいずれかに記載の液体充填装置。
【発明の効果】
【０００８】
本発明の液体充填装置では、間欠回転テーブルが備える液体吐出部は、容器の開口部より液体を注入するためのノズルを備え、ノズルは、筒状部と、前記筒状部の前記回転テーブルの法線方向外側となる部分より下方に延びかつ尖端に向かって幅が狭くなるように設けられたノズル先端部を有している。
このため、ノズル先端部における液体保有が少なく、さらに、残液には、間欠回転テーブルの正回転時の遠心力が付与され、下方に位置する容器開口部内に滴下する。このため、ノズル先端部における残液保有が極めて少なく、間欠回転テーブルの上昇時、逆回転時における液体の滴下がない。
【図面の簡単な説明】
【０００９】
【図１】図１は、本発明の実施例の液体充填装置の平面図である。
【図２】図２は、図１に示した液体充填装置の作用を説明するための説明図である。
【図３】図３は、図１に示した充填装置の回転テーブルおよび間欠回転テーブルを説明するための説明図である。
【図４】図４は、図１に示した充填装置の回転テーブルおよび間欠回転テーブルを説明するための説明図である。
【図５】図５は、本発明の液体充填装置に用いられる液体吐出部の一例の正面図である。
【図６】図６は、図５に示した液体吐出部の部分縦断面図である。
【図７】図７は、図５に示した液体吐出部の右側面図である。
【図８】図８は、図７に示した液体吐出部の部分縦断面図である。
【図９】図９は、図５に示した液体吐出部の作用を説明するための説明図である。
【図１０】図１０は、図５に示した液体吐出部のノズル部分の拡大図である。
【図１１】図１１は、図１０のＡ−Ａ線断面図である。
【発明を実施するための形態】
【００１０】
本発明の液体充填装置を図面に示す実施例を用いて説明する。
本発明の液体充填装置１は、容器供給部７より連続供給される容器１０を同一円周上に一定ピッチで位置する状態にて回転移動する回転テーブル２と、回転テーブル２の上方に位置し、回転テーブル２の回転方向への所定角度の進行向回転および所定角度の逆方向回転を繰り返す間欠回転機構を有する間欠回転テーブル３と、間欠回転テーブル３に設けられ、かつ回転テーブル２の一定ピッチと同じピッチにて配置された複数の液体吐出部４と、各液体吐出部４に接続された液体供給部６とを備える。そして、液体吐出部４は、容器１０の開口に液体を注入するためのノズル５を備える。ノズル５は、筒状部５０と、筒状部５０の回転テーブル２の法線方向外側（言い換えれば、間欠回転テーブルの進行方向回転時に遠心力が付与される側）となる部分より下方に延び、かつ尖端５１に向かって幅が狭くなるように設けられたノズル先端部５２を備える。また、ノズル先端部５２は、筒状部５０より下方に延びかつ間欠回転テーブル３の回転軸方向を向き、さらに、尖端に向かって幅が狭くなるものとなっている。
【００１１】
この実施例の液体充填装置１は、回転機構を備える回転テーブル２、間欠回転機構および昇降機構を有する間欠回転テーブル３、間欠回転テーブル３に装着された複数の液体吐出部４、液体供給部６、容器供給部７、液体充填済み容器移送部８とを備えている。
回転機構を備える回転テーブル２は、図１ないし図４に示すように、円盤状回転板２０と、回転板２０の下面より下方に延びる中空シャフト２２と、回転板２０の外周に一定ピッチ（中空シャフトの中心軸に対して等角度）に配置された複数の容器保持部２１を備えている。容器保持部２１は、切欠部２３を備えている。また、本発明の液体充填装置に使用される容器１０は、図３および図４に示すように、首部１２と、首部１２より側部方向に突出するフランジ１１を有している。容器保持部２１は、切欠部２３において容器１０の首部１２を受け入れ、その上面に容器１０のフランジ１１が吊り下げ可能なものとなっている。そして、この回転テーブル２は、回転シャフト２２に設けられる駆動機構（図示せず）により、矢印方向に連続回転する。
【００１２】
間欠回転テーブル３は、図１ないし図４に示すように、円弧状外周縁を有する略扇状回転板３０と、扇状回転板を間欠回転駆動するための中空シャフト３２とを有する。この実施例のものでは、間欠回転テーブルは、間欠往復回転機構とともに昇降機構を有している。昇降機構は、昇降シャフト３１とシャフト３１の昇降手段により構成されている。
扇状回転板３０は、図３および図４に示すように、中空シャフト３２に連結されるともに、中空シャフト３２に対して、上限に昇降可能なものとなっている。具体的には、中空シャフト３２は、上限に設けられたフランジ３２ａを有し、フランジ３２ａには、複数の小貫通孔が設けられている。扇状回転板は、中心に、昇降シャフト３１を貫通するために、貫通孔を有し、さらに、貫通孔の周りに、上記のフランジ３２ａの小貫通孔と対応する小貫通孔を備えている。そして、扇状回転板３０および中空シャフトの小貫通孔を遊嵌状態にて貫通するように、複数の連結部材３３が設けられている。
【００１３】
さらに、扇状回転板３０と中空シャフト３２のフランジ３２ａ間には、弾性部材３４（具体的には、螺旋状ばね）が設けられており、連結部材３３は、このばね３４を貫通（具体的には、螺旋状ばねの内部空間を貫通）している。よって、扇状回転板３０は、弾性部材３４により上方に若干付勢された状態となっている。よって、通常状態では、図３に示す状態にて、中空シャフト３２が回転することにより、連結部材３３が中空シャフト３２の中心軸を中心にして回転し、連結部材の回転により、扇状回転板３０が中空シャフトのフランジ３２ａと離間した状態を維持しながら回転する。間欠回転テーブル３は、中空シャフト３２に設けられる駆動機構（図示せず）により、回転テーブル２の正回転方向および逆回転方向に往復間欠回転する。
【００１４】
そして、この実施例では、中空シャフト３２を貫通する昇降シャフト３１を備えている。昇降シャフト３１は、シャフト３１の軸部より大きく形成された頭部３１ａと、昇降機構を備える。昇降機構が作動し、シャフト３１が下降することにより、頭部３１ａが、扇状回転板３０および連結部材３３の頭部に当接し、図４に示すように、扇状回転板３０および連結部材３３を下方に押し下げ、扇状回転板は中空シャフトのフランジ３２ａと近接した状態となる。これにより、弾性部材３４が圧縮された状態となる。また、この状態では、後述する液体吐出部４のノズル５の尖端５１は、容器１０の開口に近接もしくは開口内に進入し、液体を開口から注入可能とする。特に、昇降機構は、間欠回転テーブル３を回転テーブル２の正回転方向への回転の終了直前に上昇させ、かつ、逆回転終了後に下降させるものであることが好ましい。
【００１５】
間欠回転テーブル３には、複数の液体吐出部４が装着されている。具体的には、間欠回転テーブルには、複数の液体吐出部４が、間欠回転テーブル３および回転テーブル２の回転軸（中空シャフトの中心軸）に対して、等角度となるように、配置されている。また、配置角度は、回転テーブル２の複数の容器保持部２１の配置角度と同じものとなっている。このため、回転テーブル２の同一円周上に配置された複数の容器保持部２１の配置ピッチ（一定ピッチ）と、間欠回転テーブル３に配置された液体吐出部４の配置ピッチは、同じものとなっている。
【００１６】
液体吐出部４は、図５ないし図１１に示すように、容器１０の開口部より液体を注入するためのノズル５を備える。具体的には、液体吐出部４は、吐出部本体部４０と、吐出部本体部４０より下方に延びる下部管状部４１と、吐出部本体部４０の側部より延びる側部管状部４２と、バルブ駆動機構収納部４６と、下部管状部４１に装着されたノズル５とを備えている。また、下部管状部４１の下端には、下部フランジ４４が、側部管状部４２の端部には、側部フランジ４３が設けられている。側部フランジ４３には、液体供給部６の液体供給管６２が接続される。
【００１７】
液体吐出部４は、内部を横切るように配置されたフィルタ４５を備えている。フィルタ４５としては、目の荒さが相違したメッシュフィルタの積層部が好適に使用できる。また、メッシュフィルタは、上流側より下流側に向かって、目が細かくなるように積層されたものが好ましい。
この実施例では、フィルタ４５は、ノズル５の開口部付近かつ若干上流側となる位置に設けられている。具体的には、フィルタ４５は、ノズル５の上部フランジ５３内に収納されている。また、液体吐出部４の本体部４０の下部および下部管状部４１内には、内筒部４８が収納されている。そして、内筒部４８の筒状部の下端部が、フィルタ４５の上方への移動を阻止している。また、内筒部４８の上部には、開閉バルブ４７の外側面と液密に当接する弁座４９が設けられている。液体収納部４は、ノズル５の筒状部５０より上流側に設けられた開閉バルブ４７を備えている。開閉バルブ４７は、フィルタ４５よりも上流側に設けられている。図９に示すように、開閉バルブ４７は、シャフト部４７ａを備え、バルブ機駆動構収納部４６内に収納されたバルブ機駆動（図示せず）により、昇降し、液体吐出部内流路の開閉を行う。図６および図８に示す状態では、バルブ４７は、上方に位置し、側部管状部４２内と下部管状部４１内は、連通し、液体供給部６より側部管状部４２に供給される液体は、ノズル５より排出可能である。そして、図９に示す状態では、バルブ４７は、下方に位置し、その側面は、弁座４９に液密に当接し、側部管状部４２と下部管状部４１の連通を遮断する。この実施例では、バルブ４７は、ノズル５の開口部に向かって下降する。このため、液体吐出部からの最終排液は、強く吐出されることになり、液切れが良好なものとなる。
【００１８】
ノズル５は、図１０および図１１に示すように、短い筒状部５０と、筒状部５０の上端に設けられた上部フランジ５３と、筒状部５０より下方に延び、尖端５１に向かって幅が狭くなるように設けられたノズル先端部５２を備える。
この実施例のものでは、ノズル５は、フィルタ収納用凹部を備えている。筒状部５０は、完全な筒状状態の部分が、かなり短いものとなっている。また、筒状部５０の内径は、内筒部４８の内径とほぼ等しいものとなっている。このため、充填する液体の保持が実質的に不能なものとなっている。
【００１９】
ノズル５は、筒状部５０と、筒状部５０の回転テーブル２の法線方向外側（言い換えれば、間欠回転テーブルの進行方向回転時に遠心力が付与される側）となる部分より下方に延び、かつ尖端５１に向かって幅が狭くなるように設けられたノズル先端部５２を備える。また、ノズル先端部５２は、筒状部５０より下方に延びかつ間欠回転テーブル３（および回転テーブル２）の回転軸方向を向き、さらに、尖端に向かって幅が狭くなるものとなっている。
このような形態のノズル先端部５２には、間欠回転テーブルの進行方向回転時には、遠心力が付与され、ノズル先端部５２に付着していた液体は、定量薬液充填後、間欠回転テーブル３の上昇までの揺動区間（上昇時の微小な速度低下区間に入る前）に、付与されている遠心力が発現し、下方に位置する容器開口部内に確実に滴下する。また、本発明の装置では、バルブはシールされており液の供給はされない状況下にて、ある一定区間回転板３０を揺動させ、その時に生じる遠心力によって、ノズル５の内壁に付着した残液をすべてバッグ内に吐出させている。これにより扇状回転板３０の上昇戻り時には、ノズル内壁面に残液がないため液ダレを生じない。
【００２０】
この実施例では、ノズル先端部５２は、若干丸みを有する尖端５１に向かって両側部５４ａ，５４ｂが、急激に幅が狭くなるように形成されている。両側部の始端は、図１１に示すように、筒状部５０の中央付近に位置し、急激に湾曲する曲線を描き、尖端５１にて終端するものとなっている。ノズル先端部５２は、湾曲した内外面を有する刃先状のものとなっている。
【００２１】
また、図１１におけるノズル先端部５２の筒状部からの突出長Ｂは、筒状部５０の直径Ｌに対して、Ｂ＝０．８〜１．５×Ｌであることが好ましく、特に、Ｂ＝１．０〜１．２×Ｌであることが好ましい。そして、ノズル先端部５２の筒状部からの突出長Ｂは、８〜１５ｍｍであることが好ましく、特に、１０〜１２ｍｍであることが好ましい。また、筒状部５０の内径Ｌは、８〜１２ｍｍであることが好ましい。ノズル先端部５２の筒状部５０の長さ（フィルタ４５の下端から筒状部５０の下端までの長さＣは、０．５〜１．０ｍｍであることが好ましい。また、ノズルの両側部５４ａ，５４ｂの湾曲は、Ｒ８〜１５ｍｍが好ましい。
【００２２】
図１および図２は、間欠回転テーブル３（扇状回転板３０）が下降した状態における始点および終点の位置を図示している。上昇位置では、図１の間欠回転テーブル３（扇状回転板３０）は、図示する位置より、若干逆回転側に位置し、図２の間欠回転テーブル３（扇状回転板３０）は、図示する位置より、若干進行方向回転側に位置する。また、間欠回転テーブル３（扇状回転板３０）は、下降した図１から図２までの状態では、回転テーブル２（円盤状回転テーブル２０）と等速度にて進行方向に回転する。
そして、この実施例の液体充填装置１では、間欠回転テーブル３（扇状回転板３０）は、進行方向に回転しながら下降する。そして、下降完了後、言い換えれば、図１に示す位置での間欠回転テーブル３（扇状回転板３０）は、図４に示すように、ノズル５の尖端５１の容器１０の開口内への進入した状態となる。そして、バルブ４７が開き、液体の充填が開始される。また、図４に示す状態のまま、言い換えれば、昇降シャフト３１が下降し、シャフト３１の頭部３１ａにより、扇状回転板３０が押し下げられた状態にて、進行方向に回転する。扇状円板部３０の進行方向回転時（下降時）において、液体吐出部４のバルブ４７は、上方に位置し、バルブは、開口し、液体がノズル５より下方に吐出され、ノズル５の下方に位置する容器１０内に注入される。
【００２３】
そして、間欠回転テーブル３（扇状回転板３０）が、図２の状態への到達直前に、バルブ４７が閉じ、液体注入が終了する。ノズル５の残液は、バルブ４７の閉塞後に、ノズル５に付与される遠心力により容器１０内に滴下する。さらに、間欠回転テーブル３は、急激に停止することなく、進行方向回転を継続しながら上昇する。具体的には、扇状回転板３０は、図４の状態から、若干進行方向回転を継続し、かつ、回転速度が低下しながら、上昇し、上昇終了となる図４の状態となるまでの間に、回転方向が変化し、逆回転に移行する。そして、逆回転は、図１に示す間欠回転テーブル３（扇状回転板３０）の位置より、若干逆回転側となるまで行われる。そして、間欠回転テーブル３は、急激に停止することなく、図１に示す位置を若干越えるまで、逆回転が継続するとともに、下降する。具体的には、扇状回転板３０は、図３の状態から、若干逆回転を継続し、かつ、回転速度が低下しながら下降し、下降終了となる図３の状態となるまでの間に、回転方向が変化し、進行方向回転に移行する。そして、この進行方向回転、上昇、逆回転、下降の一連の動作が反復して行われる。
【００２４】
この実施例では、間欠回転テーブル３（扇状回転板３０）には、５個の液体吐出部４が設けられ、回転テーブル２（円盤状回転板２０）には、２４個の容器保持部２１が設けられている。このため、間欠回転テーブル３（扇状回転板３０）は、５／２４である７５度を若干越える（具体的には、８５度程度）進行方向回転と逆回転の間欠回転を繰り返すものとなっている。
液体供給部６は、図１および図２に示すように、内部に液体タンク（図示せず）および液吐出機構（図示せず、例えば、コンプレッサー）を備える供給部本体６０を有し、さらに、液体吐出部４の設置数と同じもしくはそれ以上の液供給コネクタ６１を備えている。コネクタ６１は、液体タンクと連通している。また、各コネクタ６１は、各液体吐出部４と液体供給管６２により接続されている。吐出機構が作動することにより、液体タンク内の液体が、液体吐出部４に供給される。
【００２５】
容器供給部７は、図１および図２に示すように、円盤状回転板２０の容器保持部２１に容器１０の首部１０のフランジ１１が吊り下げられるように供給する回転部７０と、回転部７０に容器１０を送る容器移動部７１を備えている。
液体充填済み容器移送部８は、図１および図２に示すように、円盤状回転板２０の容器保持部２１に吊り下げられかつ液体が充填された容器１０の首部１０を保持し、円盤状回転板２０より離脱させるための回転部８０と、回転部８０に把持された容器１０を、後の工程に送るための容器移動部８１を備えている。
【符号の説明】
【００２６】
１  液体充填装置
２  回転テーブル
３  間欠回転テーブル
４  液体吐出部
５  ノズル
６  液体供給部
５０  筒状部
５１  尖端
５２  ノズル先端部
【図１】
2014201335.tif 000003
【図２】
2014201335.tif 000004
【図３】
2014201335.tif 000005
【図４】
2014201335.tif 000006
【図５】
2014201335.tif 000007
【図６】
2014201335.tif 000008
【図７】
2014201335.tif 000009
【図８】
2014201335.tif 000010
【図９】
2014201335.tif 000011
【図１０】
2014201335.tif 000012
【図１１】
2014201335.tif 000013